(57)【要約】      （修正有）【課題】円形または円弧部を備え自立性に欠ける被梱包物について、緩衝材を必要とすることなく被梱包物の妄動を抑制することができるとともに、未梱包時には減容可能となるように展開・組み立てが自在な梱包容器を提供する。【解決手段】正面片１０と、背面片２０と、正面片１０、背面片２０の左右側部に設けられた二つの側片１４，１５と、正面片１０の基端部と背面片２０の基端部との間に連設される底片３０と、底片３０の両側にそれぞれ設けられた一対の支持部片４０，５０とを設け、二つの支持部片４０，５０が、正面視において、底片３０に沿って底辺を構成するとともに、二つの支持部片４０，５０の向き合う両辺が正面視において上方が幅広となるように傾斜面とされた三角形状に組み立て可能、かつ組み立てられた状態を保持可能に設けた。【選択図】図１
0003162704.tif 000002
【実用新案登録請求の範囲】
【請求項１】
正面片１０と、背面片２０と、
前記正面片１０または前記背面片２０のいずれかの左右側部に設けられた二つの側片１４，１５と、前記正面片１０の基端部と前記背面片２０の基端部との間に連設される底片３０が備えられ、
前記正面片１０と前記背面片２０とが対向するように側片１４，１５を介して容器状に組み立て及び展開可能に設けられるとともに、前記底片３０に一対の切り込み３２ａ、３２ｂが設けられ、
前記底片３０の両側にそれぞれ設けられた一対の支持部片４０，５０が備えられ、
前記支持部片４０，５０は、平面視略矩形状に形成されるとともに、略矩形状の本体部４２，５２の二つがそれぞれ前記底片３０側に備えられ、
前記支持部片４０，５０の先端には前記底片３０の切り込み３２ａ，３２ｂに差し込み係合可能な差し込み片６０ａ，６０ｂが備えられ、
前記支持部片４０，５０と前記底片３０との間には折れ目線１１ｅ，１１ｈが形成され、
前記本体部４２，５２の中央付近には前記折れ目線１１ｅ，１１ｈと平行に折れ目線１１ｆ，１１ｉが形成され、
該二つの支持部片４０，５０は、正面視において、前記底片３０に沿って底辺を構成するとともに、二つの支持部片４０，５０の向き合う両辺が正面視において上方が幅広となるように傾斜面とされた三角形状に組み立て可能、かつ組み立てられた状態を保持可能に設けられたことを特徴とする段ボール製の梱包容器。
【請求項２】
また、本考案の第二の手段は、前記支持部片４０，５０により組み立てられる二つの支持部材９０，９２のうちいずれかの上部頂部Ｙと、該頂部Ｙと隣り合う前記側片１４又は側片１５のいずれかとの間に間隙Ｚが設けられるように形成されたことを特徴とする梱包容器。
【請求項３】
前記支持部片４０，５０の前記本体部４２，５２の側部に、前記支持部片４０，５０を三角形状に組み立てた状態において、前記支持部片４０，５０の前記本体部４２，５２及び前記底片３０間に嵌合可能な嵌合片７０ａ〜７０ｄが連設されたことを特徴とする請求項１又は請求項２に記載の梱包容器。
【請求項４】
前記嵌合片７０ａ〜ｄの側部に、折れ目線１１ｇ，１１ｊを介して、前記底片３０に沿って当接可能な当接片７８，８６を連設したことを特徴とする請求項１から請求項３のいずれかに記載の梱包容器
【請求項５】
前記正面片１０、背面片２０又は側片１４，１５に、前記正面片１０と前記背面片２０とを係合する係合片１６，２２が設けられたことを特徴とする請求項１から請求項４のいずれかに記載の梱包容器。
【請求項６】
組み立てた状態の前記正面片１０及び前記背面片２０の上部に、取っ手１２ａ，１２ｂを設けたことを特徴とする請求項１から請求項５のいずれかに記載の梱包容器。
【請求項７】
前記梱包容器１は紙製段ボールから構成されたことを特徴とする請求項１から請求項６のいずれかに記載の梱包容器。
【考案の詳細な説明】
【技術分野】
【０００１】
この考案は、折り畳み自在な梱包容器に関し、特に、耐衝撃性を備えると共に、自立性に欠ける被梱包物を収納する梱包容器に関する。
【背景技術】
【０００２】
従来、厚みが薄く、かつ、搬送時の衝撃などにより損傷を受けやすい被梱包物は少なくない。例えば、ガラス板、回路基盤、自転車のホイール、電子機器のディスプレイパネル、パチンコ遊技機のセンター飾り、陶磁器製の皿類などの被梱包物は、搬送時・保管時などにおいて加えられる衝撃が低減されることが強く望まれている。特に、その外形状が円形であったり、下部に円弧部を備える被梱包物（以下「円弧状被梱包物」とする）においては、平積み状態とされて、積み重ねられる円弧状被梱包物の自重による損傷を避けるために、垂直状態で縦向きにして梱包容器内に収納されていた。
【０００３】
例えば、段ボール箱と、長さ方向における一定間隔毎に幅方向にヒンジ部が形成された柔軟な合成樹脂製の長尺発砲シートとからなり、この長尺発砲シートが上下に蛇行され、横方向に延びてアコーディオン状に折曲されて段ボール箱内に収納され、長尺発砲シートの折曲部分間に板状の被梱包物を垂直方向に収納するようにした梱包装置が知られている（特許文献１参照）。
【０００４】
また、液晶などの薄型テレビジョン受信機を垂直方向に収納するようにした幅の狭い段ボール箱として、受信機の幅に対応するように比較的幅の狭い段ボール箱本体と、底側の左右一組の緩衝材と、天井側の左右一組の緩衝材と、天井側の中央の１個又は２個の緩衝材とにより梱包できるものが知られている（特許文献２参照）。この段ボール箱は、使用に際しては、受信機を段ボール箱本体内に垂直方向に収納するに先立って箱本体の底側の左右隅に底側緩衝材を装填させ、次いで受信機を収納させて、底側緩衝材により受信機の両底側を保護し、次いで天井側の緩衝材を充填することにより受信機の天井側の左右隅と中央部を保護するものである。
【０００５】
また、比較的厚みが薄く損傷し易く、かつ、自立性に欠けるパチンコ遊技機のセンター飾りの包装箱に関するものとして、箱の底側及び天井側の計四隅と被梱包物との間に生じる空白を埋めるための発泡材や段ボール材の緩衝材が充填されるものが知られている（非特許文献１参照）。
【先行技術文献】
【特許文献】
【０００６】
【特許文献１】実開昭６３−１３７７１４号、第２図、第４図等
【特許文献２】特開２００８−９４４１３号、図１、図２等
【非特許文献】
【０００７】
【非特許文献１】ｈｔｔｐ：／／ｗｗｗ．ａｓｋｕｌ．ｃｏ．ｊｐ／ｐ／１７１６３４
【考案の概要】
【考案が解決しようとする課題】
【０００８】
しかしながら、このような従来の梱包容器には以下のような問題があった。上記した従来の梱包装置では、自立性に欠ける被梱包物が妄動して損傷するおそれを避けるためには、単に折曲部分間に収納保持させるだけではなく、緩衝材などを梱包装置内に充填する必要があり、梱包作業が煩雑となるという問題があった。また、上記した従来の段ボール箱でも同様に、緩衝材を充填する必要があり梱包作業が繁雑となるという問題があった。また、上記した包装箱でも同様に、緩衝材を充填する必要があり梱包作業が繁雑となるという問題があるとともに、被梱包物の外形状に合わせて緩衝材の充填位置や充填量を調整する必要性が大きく、熟練作業者以外では充填作業に長時間を要するという問題があった。また、上記いずれの従来技術においても、緩衝材を必要とするために製造コストが増大するという問題があった。
【０００９】
本考案が解決しようとする目的は、上記の従来技術の問題点を解決するものであり、円形または円弧部を備え自立性に欠ける被梱包物について、緩衝材を必要とすることなく被梱包物の妄動を抑制することができるとともに、未梱包時には減容可能となるように展開・組み立てが自在な梱包容器を提供することにある。
【課題を解決するための手段】
【００１０】
本考案の第１の手段は、
正面片１０と、背面片２０と、
前記正面片１０または前記背面片２０のいずれかの左右側部に設けられた二つの側片１４，１５と、前記正面片１０の基端部と前記背面片２０の基端部との間に連設される底片３０が備えられ、
前記正面片１０と前記背面片２０とが対向するように側片１４，１５を介して容器状に組み立て及び展開可能に設けられるとともに、前記底片３０に一対の切り込み３２ａ、３２ｂが設けられ、
前記底片３０の両側にそれぞれ設けられた一対の支持部片４０，５０が備えられ、
前記支持部片４０，５０は、平面視略矩形状に形成されるとともに、略矩形状の本体部４２，５２の二つがそれぞれ前記底片３０側に備えられ、
前記支持部片４０，５０の先端には前記底片３０の切り込み３２ａ，３２ｂに差し込み係合可能な差し込み片６０ａ，６０ｂが備えられ、
前記支持部片４０，５０と前記底片３０との間には折れ目線１１ｅ，１１ｈが形成され、
前記本体部４２，５２の中央付近には前記折れ目線１１ｅ，１１ｈと平行に折れ目線１１ｆ，１１ｉが形成され、
該二つの支持部片４０，５０は、正面視において、前記底片３０に沿って底辺を構成するとともに、二つの支持部片４０，５０の向き合う両辺が正面視において上方が幅広となるように傾斜面とされた三角形状に組み立て可能、かつ組み立てられた状態を保持可能に設けられたことを特徴とする段ボール製の梱包容器（請求項１）である。
【００１１】
本考案では、支持部片４０，５０により、底片３０に対して底辺を構成する上方にむかって幅狭となる三角形状の部材（支持部材９０，９２）を構成することができる。そして、これらの支持部材９０，９２の傾斜面により、梱包容器１正面視において、底片３０に対して中央が窪んだ凹部Ｘを構成することができる。
【００１２】
支持部材９０，９２により構成される凹部Ｘにより、円形の被梱包物や円弧状被梱包物を収容保持するようにして、これらの被梱包物２を梱包容器１内に梱包することが可能となる。そして、下方に向かうに従って幅狭となる凹部Ｘにより、様々な大きさ・形状の円形の被梱包物・円弧状被梱包物であっても、凹部Ｘのいずれかの位置によって保持されることが可能であるので、様々な被梱包物に対応して梱包することができる。したがって、緩衝材を要することなく、妄動を抑制しつつ様々な被梱包物の確実な梱包が可能となる。
【００１３】
また、支持部片４０，５０を、正面視において梱包容器の底片３０に沿って底辺を構成する三角形状となるように組み立て可能であるので、梱包する被梱包物２を十分に保持できる。特に段ボール製の梱包容器１であっても、被梱包物２の重量によって支持部材９０，９２に対して下方向に働く力に対して十分な強度を持つことができる。
【００１４】
そして、本梱包容器１はこのような構成を組み立て・展開自在な段ボールにより構成しているので、未梱包時などにおいては展開して減容することができる。また、段ボールから上記の構成に切断するだけで梱包容器１を簡便に製造することができる。
【００１５】
また、本考案の第二の手段は、前記支持部片４０，５０により組み立てられる二つの支持部材９０，９２のうちいずれかの上部頂部Ｙと、該頂部Ｙと隣り合う前記側片１４又は側片１５のいずれかとの間に間隙Ｚが設けられるように形成されたことを特徴とする梱包容器である（請求項２）。
【００１６】
被梱包物２の外形の一部に凹所Ａが設けられている場合、凹部Ｘに被梱包物２の一部を収容保持するとともに、本考案の頂部Ｙにこの凹所Ａを係止させることにより、被梱包物２を極めて簡便かつ確実に保持することができ、妄動を効果的に抑制できる。
【００１７】
また、本考案の第三の手段は、前記支持部片４０，５０の前記本体部４２，５２の側部に、前記支持部片４０，５０を三角形状に組み立てた状態において、前記支持部片４０，５０の前記本体部４２，５２及び前記底片３０間に嵌合可能な嵌合片７０ａ〜７０ｄが連設されたことを特徴とする梱包容器（請求項３）。
【００１８】
このような嵌合片７０ａ〜７０ｄを設けることにより、支持部片４０，５０を組み立てた状態で支持部片４０，５０の上方から加わる力に対して、支持部片４０，５０が潰れないようにすることができ、組み立てた状態の支持部材９０，９２の強度を増すことができる。
【００１９】
また、本考案の第四の手段は、前記嵌合片７０ａ〜ｄの側部に、折れ目線１１ｇ，１１ｊを介して、前記底片３０に沿って当接可能な当接片７８，８６を連設したことを特徴とする梱包容器（請求項４）。
【００２０】
前述のように嵌合片７０ａ〜７０ｄによって組み立てられた状態の支持部材９０，９２の強度を向上させることができるが、このような当接片７８，８６を設けることにより、嵌合片７０ａ〜７０ｄが底片に対して常に適切に嵌合するように、嵌合片の位置ずれを防止することができるので、組み立てられた状態の支持部片の強度を確実なものとすることができる。
【００２１】
また、本考案の第五の手段は、前記正面片１０、背面片２０又は側片１４，１５に、前記正面片１０と前記背面片２０とを係合する係合片１６，２２が設けられたことを特徴とする梱包容器（請求項５）。
【００２２】
係合片１６，２２により、組み立てた梱包容器１が容易には展開しないようにすることができる。
【００２３】
また、本考案の第六の手段は、組み立てた状態の前記正面片１０及び前記背面片２０の上部に、取っ手１２ａ，１２ｂを設けたことを特徴とする梱包容器（請求項６）。
【００２４】
このような取っ手１２ａ，１２ｂを設けることにより、組み立てた状態の梱包容器１を容易に持ち運びすることができ、可搬性に優れるものとすることができる。具体的には、正面片１０及び背面片２０の先端部に開口部を形成することで取っ手１２ａ，１２ｂを構成することなどが例示できる。
【００２５】
また、本考案の第七の手段は、前記梱包容器１は紙製段ボールから構成されたことを特徴とする梱包容器（請求項７）。
【００２６】
前述のように本梱包容器はプラスチック製なども含む広く段ボールから構成可能なものであるが、本考案のように構成することにより、特に軽量・低コストで製造可能な紙製段ボールを採用しても、十分な強度を有することができる。よって、本考案ではより軽量・低コストの梱包容器とすることができる。
【考案の効果】
【００２７】
本考案の梱包容器は、上記の構成であるから、組み立てられた支持部材により、緩衝材を要することなく被梱包物を確実に保持可能とすることができる。そして、段ボールにより上記の構成とすることにより、組み立て・展開を可能とすることができるので、被梱包物の未梱包時には展開して保管や運搬をすることにより、梱包容器の容積を大きく減少（減容）させることができる。よって、保管コストや運搬コストを大きく低減することができる。また、段ボールを上記の構成に切断することで製造することができ、緩衝材も必要としないので製造コストを低減することもできる。
【図面の簡単な説明】
【００２８】
【図１】本考案の梱包容器の透視斜視図である。
【図２】本考案の梱包容器の要部透視正面図である。
【図３】本考案の梱包容器を展開した状態の平面図である。
【図４】図３の展開状態から支持部片を組み立てた状態の梱包容器の平面図である。
【図５】図３の展開状態から支持部片を組み立てた状態の梱包容器の斜視図である。
【図６】本考案の別の梱包容器を展開した状態の平面図である。
【図７】図６の展開状態から支持部片を組み立てた状態の梱包容器の要部透視正面図である。
【考案を実施するための形態】
【００２９】
次いで、本考案の梱包容器について、図面を参照して詳細に説明する。本考案の梱包容器１は、図１に示されるように、上方が開口された前後の厚みが薄い箱状の全体形状に形成されるものであり、その内部に、自立性に欠ける両側が対称であって円形または円弧部を備えたパチンコ遊技機のセンター飾り２（本考案にいう「被梱包物」の一例）を垂直状態で縦向きに梱包するものである。下記の説明ではパチンコ遊技機のセンター飾りを被梱包物の一例として記載するが、これに限らず、ガラス板、回路基盤、自転車のホイール、電子機器のディスプレイパネル、陶磁器製の皿類などを梱包することが可能である。そして、未梱包時には、図３に示されるような展開状態などとすることにより、箱状から板状の形状に変更でき、その容積を著しく減少させることができるものである。また、本例では段ボールのうち紙製段ボールにより梱包容器１を構成しており、軽量かつ一定以上の強度も備えるものである。
【００３０】
前述のように、本梱包容器１は、図３に示されるような展開状態とすることが可能である。梱包容器１には、正面片１０と、背面片２０と、正面片１０と背面片２０とを連設する底片３０と、底片３０の両側にそれぞれ延設される支持部片４０及び支持部片５０とが備えられている。
【００３１】
正面片１０は矩形状に形成されている。本例では、正面片１０は、ほぼ正方形に近い若干縦長の全体形状に形成されている。正面片１０の先端寄りの左右方向中央付近には、開口された取っ手１２ａが設けられている。
【００３２】
また、正面片１０の右側には、折れ目線１１ａを介して側片１４が連設されている。側片１４は正面片１０の縦方向のおよそ半分の長さに設けられ、またこの長さの約５分の２であるとともに後述する底片３０の縦方向の長さと同じ横幅の長方形状に形成されている。また、この側片１４の先端の側部には、正面片１０を背面片２０に固定するために背面片２０側の係合片２２に係合可能な係合片１６が連設されている。係合片１６は縦方向が長い長円形状に形成され、側片１４の先端側に対応する部位のみが側片１４に連設され、側片１４の基端側の部位は舌片状に突設された舌状片１７とされている。
【００３３】
また、正面片１０の左側には、折れ目線１１ｂを介して側片１５が連設されている。側片１５は、正面片１０の縦方向の長さの約４分の１の長さで、ほぼ正方形に近いわずかに横長の矩形状に形成され、その横方向の幅は底片３０の縦方向の長さと同じに設けられている。また、側片１５の正面片１０先端寄りの側部には、正面片１０を背面片２０に固定するために背面片２０側の係合片２２に係合可能な係合片１６が連設されている。係合片１６は縦方向が長い長円形状に形成され、側片１４の先端側に対応する部位のみが側片１４に連設され、側片１４の基端側の部位は舌片状に突設された舌状片１７とされている。
【００３４】
背面片２０は、底片３０を介して、正面片１０と反対側に正面片１０とほぼ対称となる形状・位置に形成されている。背面片２０は正面片１０とほぼ同一の矩形状に形成されており、底片３０を介して、その取っ手１２ｂが先端に位置するようにして、連設されている。前述した正面片１０の取っ手１２ａと併せて、取っ手１２ｂにより、梱包容器１の搬送時の利便性を向上させているが、取っ手の形状はこれに限られず他の形状としても良い。なお、本例の取っ手１２ａ，１２ｂは、正面片１０及び背面片２０の先端方向の部位のみ残存させて他の部位を切り欠くことにより構成されている。
【００３５】
また、背面片２０の両側部には、それぞれ係合片２２が連設されている。係合片２２は縦方向が長い長円形状に形成され、背面片２０の基端側に対応する部位のみが背面片２０に連設され、背面片２０の先端側の部位は舌片状に突設された舌状片２３とされている。そして、これらの係合片２２の背面片２０基端からの距離は、係合片１６の舌状片１７が係合片２２の舌状片２３と重なり合うように設けられており、図１に示されるように、梱包容器１が組み立てられた状態において、正面片１０側の係合片１６と背面片２０側の係合片２２とが係合可能となるように設けられている。また、図１にも示されるように、梱包容器１が組み立てられた状態において、係合片１６は正面片１０に対して直交するように屈曲された側片１４、１６から直交するように屈曲され、係合片２２は背面片２０に対して直交するように屈曲され、したがって舌状片１７は下方に向けられ、一方、舌状片２３は上方に向けられるとともに、互いに直交するようにして係合可能となる。このように係合片１６と係合片２２との係合により正面片１０と背面片２０とが固定可能に設けられている。一方、これらの係合片１６、２２の係合を解除することより、正面片１０と背面片２０とを展開することができる。なお、係合片１６と係合片２２の舌状片１７及び舌状片２３との上下方向の向きを入れ替えることも可能である。また、係合片１６と係合片２２とが係合可能であれば他の形状に変更することも可能である。
【００３６】
底片３０は、折れ目線１１ｃを介して正面片１０と、折れ目線１１ｄを介して背面片２０と連設されており、平面視において横長の長方形状に形成されている。底片３０の左側端部は正面片１０および背面片２０の左側端部と同じ位置に設けられており、一方、底片３０の右側端部は正面片１０および背面片２０の右側端部よりも中央寄りに設けられており、正面片１０及び背面片２０よりも奥側に窪んだようにして底片３０の右側端部が位置するように設けられている。
【００３７】
また、底片３０から背面片２０にかけては、差し込み用の切り込み３２ａ，３２ｂが二つ形成されている。切り込み３２ａ，３２ｂは、正面片１０から背面片２０に至る梱包容器１の前後方向に沿って形成されており、底片３０の前後方向におけるほぼ中央の位置から背面片２０にかけて、底片３０の前後方向の長さとほぼ同じ長さに形成されている。また、切り込み３２ａ，３２ｂは、それぞれ、底片３０の左右方向において左から約３分の１、約３分の２の位置にそれぞれ設けられている。
【００３８】
底片３０の両側端部には、それぞれ支持部片４０と支持部片５０とが連設されている。底片３０の左側端部に折れ目線１１ｅを介して連接されている支持部片４０は、横長の長方形状に形成されており、その左右方向の中央やや底片３０寄りに、折れ目線１１ｆが形成された本体部４２が備えられている。
【００３９】
本体部４２の先端には、差し込み片６０ａが連設されている。差し込み片６０ａは、縦方向が長い長円形状に形成され、支持部片４０の先端のうち背面片２０寄りの部位のみが支持部片４０に連設され、正面片１０寄りの部位は舌片状に突設された舌状片６２とされている。
【００４０】
また、本体部４２のうち折れ目線１１ｆよりも底片３０寄りの両側部には、嵌合片７０ａ，７０ｂがそれぞれ連設されている。嵌合片７０ａ，７０ｂは、折れ目線１１ｆから本体部４２の基端部にかけて徐々に幅広となるほぼ三角形状に形成されている。これらの嵌合片７０ａ，７０ｂは、図１、図２、図５に示されるように、差し込み片６０ａを切り込み３２ａに差し込んで梱包容器１正面視において支持部片４０を三角形状に組み立てた状態において、支持部片４０内に嵌合するように、組み立てられた状態の支持部片４０の正面視とほぼ同形状に形成されている。また、それぞれの嵌合片７０ａ，７０ｂは、平面視において支持部片４０を介してほぼ対称となる形状に形成されており、組み立てられた状態の支持部片４０の前後においてそれぞれ支持部片４０内に嵌合するように設けられている。
【００４１】
したがって、嵌合片７０ａ，７０ｂの三辺のうち本体部４２に連接される第一片７２は本体部４２の折れ目線１１ｆから底片３０との境界となる折れ目線１１ｅに至る距離とほぼ同一の長さに設けられている。また、嵌合片７０ａ，７０ｂの三辺のうち本体部４２と底片３０との境界となる折れ目線１１ｅから立ち上がり、支持部片４０の長手方向に対してほぼ垂直に立ち上がる第二辺７４は底片３０の左側端部から切り込み３２ａまでの距離とほぼ同一の長さに設けられている。また、嵌合片７０ａ，７０ｂの三辺のうち第一辺７２と第二辺７４とを結ぶ第三辺７６は折れ目線１１ｆから本体部４２の先端までの距離とほぼ同一の長さに設けられている。
【００４２】
また、この嵌合片７０ａ，７０ｂの第三辺７６には、第三辺７６と平行な外辺を備えて所定の幅に形成されるとともに折れ目線１１ｇを介して第三辺７６に連設された当接片７８が形成されている。当接片７８は、支持部片４０が図１に示されるように組み立てられ、嵌合片７０ａ，７０ｂが支持部片４０の内側に嵌合された状態において、支持部片４０の内側に折り込まれるとともに底片３０に重なるようにして当接される。よって、嵌合片７０ａ，７０ｂがそのまま支持部片４０内に嵌合される場合よりも嵌合片７０ａ，７０ｂを支持部片４０内により安定的に嵌めこまれた状態とすることができる。よって、嵌合片７０ａ，７０ｂによって強度を向上させることのできる支持部片４０の組み立てられた状態をより一層安定的に保持することができる。
【００４３】
また、底片３０の右側端部には、折れ目線１１ｈを介して、支持部片５０が連設されている。支持部片５０は、横長の長方形状に形成されており、その左右方向の中央に折れ目線１１ｉが形成された本体部５２が備えられている。また、折れ目線１１ｉは、前述した正面片１０の側片１４の右側端部と同位置に形成されている。
【００４４】
本体部５２の先端には、差し込み片６０ｂが連設されている。差し込み片６０ｂは、縦方向が長い長円形状に形成され、支持部片５０の先端のうち背面片２０寄りの部位のみが支持部片５０に連設され、正面片１０寄りの部位は舌片状に突設された舌状片６２とされており、先に説明した差し込み片６０ａとは、左右対称の形状・位置に形成されている。なお本例では、差し込み片６０ａ，６０ｂの位置は、切り込み片３２ａ，３２ｂの位置とともに背面片２０寄りに設けられているが、切り込み３２ａ，３２ｂの位置とともに、例えば、正面片１０寄りに設けたり、底片３０にのみ設けることとしても良い。しかしながら、組み立て時の差し込みの作業性や、差し込んだ後に差し込み片６０ａ，６０ｂが切り込み３２ａ，３２ｂから抜け難く設けるためには、組み立て時には屈曲される底片３０から背面片２０にかけて、または底片３０から正面片１０にかけて設けることが望ましい。また、背面片２０側に設けることにより、使用時には、梱包容器１の正面側には切り込み３２ａ，３２ｂ等が見えないので美観を保つこともできる。
【００４５】
また、本体部５２のうち折れ目線１１ｉよりも先端寄りには、嵌合片７０ｃ，７０ｄがそれぞれ連設されている。嵌合片７０ｃ，７０ｄは、折れ目線１１ｉから本体部５２の先端にかけて徐々に幅広となるほぼ三角形状に形成されている。これらの嵌合片７０ｃ，７０ｄは、図１、図２、図５に示されるように、差し込み片６０ｂを切り込み３２ｂに差し込んで梱包容器１正面視において支持部片５０を三角形状に組み立てた状態において、支持部片５０内に嵌合するように、組み立てられた状態の支持部片５０の正面視とほぼ同形状に形成されている。また、それぞれの嵌合片７０ｃ，７０ｄは、平面視において支持部片５０を介してほぼ対称となる形状に形成されており、組み立てられた状態の支持部片５０の前後においてそれぞれ支持部片５０内に嵌合するように設けられている。
【００４６】
したがって、嵌合片７０ｃ，７０ｄの三辺のうち本体部５２に連接される第一片８０は本体部５２の折れ目線１１ｉから本体部５２の先端に至る距離とほぼ同一の長さに設けられている。また、嵌合片７０ｃ，７０ｄの三辺のうち本体部５２の先端から立ち上がり、底片３０方向に傾斜して立ち上がる第二辺８２は底片３０の右側端部から切り込み３２ｂまでの距離とほぼ同一の長さに設けられている。また、嵌合片７０ｃ，７０ｄの三辺のうち第一辺８０と第二辺８２とを結ぶ第三辺８４は折れ目線１１ｉから底片３０との境となる折れ目線１１ｈまでの距離とほぼ同一の長さに設けられている。
【００４７】
また、この嵌合片７０ｃ，７０ｄの第三辺８４には、第三辺８４と平行な外辺を備えて所定の幅に形成されるとともに折れ目線１１ｊを介して第三辺８４に連設された当接片８６が形成されている。当接片８６は、支持部片５０が図１に示されるように組み立てられ、嵌合片７０ｃ，７０ｄが支持部片５０の内側に嵌合された状態において、支持部片５０の内側に折り込まれるとともに底片３０に重なるようにして当接される。よって、嵌合片７０ｃ，７０ｄがそのまま支持部片５０内に嵌合される場合よりも嵌合片７０ｃ，７０ｄを支持部片５０内により安定的に嵌めこまれた状態とすることができる。よって、嵌合片７０ｃ，７０ｄによって強度を向上させることのできる支持部片５０の組み立てられた状態をより一層安定的に保持することができる。
【００４８】
このように構成された梱包容器１は、保管時や未梱包状態の運搬時には、例えば、図３に示されるようにして展開した状態とすることにより、その容積を減ずることができる。また、例えば、底片３０と正面片１０との間の折れ目線１１ｃなどに沿って適宜折り畳むことにより、平面視の面積についても小さくすることができる。このように本梱包容器１は未梱包時の減容性に非常に優れている。
【００４９】
また、一枚の段ボールから図３に示されるような形状に切断及び折れ目線の加工をするだけで製造が可能であるので、製造時間を非常に短くでき、材料費も低減でき、その製造コストを大きく低減することができる。
【００５０】
また、特に紙製の段ボールにより構成されているので軽量とすることができ、重量の点でも優れており、梱包時・未梱包時を問わず、作業性や保管性に優れる。
【００５１】
そして、パチンコ遊技機のセンター飾り２を梱包する場合には、図１に示されるように組み立てる。まず、最初に図４及び図５に示されるように、支持部片４０，５０を正面視において三角形状になるように組み立てる。支持部片４０を底片３０との間の折れ目線１１ｅに沿って上方に向けて折り曲げ、さらに本体部４２を折れ目線１１ｆに沿って折り曲げる。そして，支持部片４０の先端の差し込み片６０ａを切り込み３２ａに差し込んで組み立てる。また、この際に、当接片７８を内側に折り畳んだ状態として、嵌合片７０ａ，７０ｂを組み立てられた支持部片４０の内側に押し込むようにして嵌合させる。同様に、反対側の支持部片５０についても、嵌合片７０ｃ，ｄを嵌合させるようにして、正面視三角形状に組み立てられるように差し込み片６０ｂを切り込み３２に差し込む。
【００５２】
図２に示されるように、このようにして組み立てられた支持部片４０と支持部片５０とにより構成された支持部材９０と支持部材９２と、さらにこれらの間の底片３０の部位とにより、パチンコ遊技機のセンター飾り２を下方から収容する「凹部Ｘ」が構成される。そして、本例では支持部材９２の上部の頂部Ｙと、この頂部Ｙと隣り合う側片１４との間に間隙Ｚが設けられることになる。本梱包容器１の梱包対象の一例であるパチンコ遊技機のセンター飾り２は、遊技盤に取り付けられた状態では、発射された遊技球がパチンコ遊技機のセンター飾り２上部に滞留してしまわないように、パチンコ遊技機のセンター飾り２の側方に自然に流下させるために、その上部は中央がもっとも高い円弧状に形成されている。また、下部においては、同様に円弧状に形成されるとともに、正面視右寄りには突起状部位Ｂを備え、突起状部位Ｂの基端側に凹所Ａを備えている。よって、このパチンコ遊技機のセンター飾り２は、それ自体を立たせることが困難な自立性に乏しい被梱包物である。よって、支持部材９０，９２により構成される凹部Ｘにより、下部の円弧状の部位を収容保持するとともに、突起状部位Ｂを頂部Ｙと側片１４との間の間隙Ｚに差し込むように保持させ、頂部Ｙにより凹所Ａを支持させて収容することが可能となる。パチンコ遊技機のセンター飾り２の側部や下部はパチンコ遊技機のセンター飾り２の種類によって、その形状は一定していないことが多いが、このように、凹部Ｘ内に保持させることにより、自立性が乏しくても妄動を抑制しつつ、確実に収容保持することができる。そしてさらに、間隙Ｚにパチンコ機用センター飾り２の突起状部位Ｂを差し込むと共に凹所Ａを頂部Ｙにより支持させることにより、様々なパチンコ機用センター飾り２やその他の被梱包物を収容保持することが可能となる。
【００５３】
また、本例では、凹部Ｘはその下端部分の左右方向の間隔が１３ｃｍとされており、通常のパチンコ遊技機のセンター飾り２が底片３０にまでは当接せず支持部片４０の本体部４２と支持部片５０の本体部５２の傾斜面によって支持可能な間隔に設けられている。また、本例では、凹部Ｘの上端部分の間隔が３０ｃｍとされており、通常のパチンコ遊技機のセンター飾り２が凹部内に収容可能な広さに設けられている。よって、通常のパチンコ遊技機のセンター飾り２であれば、凹部Ｘ内において両支持部材９０，９２によって支持されるように構成されている。
【００５４】
ついで、正面片１０と背面片２０とをそれぞれ折れ目線１１ｃと折れ目線１１ｄに沿って上方に折り曲げ、さらに正面片１０の両側片１４，１５を背面片２０側に折り曲げて、係合片１６と係合片２２とを、その舌状片１７と舌状片２３とを引っ掛けるようにして係合させる。このようにして、正面片１０と背面片２０とが固定され、図１に示されるように、上部が開口された箱状の梱包容器１が組み立てられる。このような梱包容器１に上方からパチンコ遊技機のセンター飾り２を収容して、運搬の用に供される。なお、必要に応じて、パチンコ遊技機のセンター飾り２を収容した後に保護材などを図柄表示装置２の上方に挿入しておくことは可能である。また、本梱包容器１は前述のように組み立て・展開自在に設けられているので、パチンコ遊技機のセンター飾り２を収容した後に正面片１０と背面片２０とを固定して梱包容器１を組み立てる順序とすることもできる。
【００５５】
そして、梱包容器１は紙製段ボールにより構成されているので、前述のように軽量とすることができるとともに、内部に収容されるパチンコ遊技機のセンター飾り２を適切に保護するための一定以上の強度及び耐衝撃性も備える。
【００５６】
本考案は前述の例に限られず、本考案の趣旨の範囲内で適宜の変更が可能である。例えば支持部材９０と支持部材９２の形状は正面視において他の形状となる三角形状に適宜変更することも可能である。また、切り込み３２ａ，３２ｂの位置を変更して凹部Ｘ下端の支持部材９０，９２間の間隔を変更しても良い。これらの変更により凹部Ｘの形状を適宜変更することができる。また、重量が嵩まない被梱包物の場合には、嵌合片７０ａ〜７０ｄや当接片７８，８６を省略することも可能である。また、紙製段ボール以外の他の材質の段ボールとすることも可能である。例えばプラスチック製の段ボールを用いることにより、重量は紙製のものよりも嵩むことになるが、強度をより向上させることができる。この場合においても、予め組み立てられた状態の木製などの梱包容器よりは軽量とすることができ、展開可能な点で未梱包時の減容性には優れる。
【００５７】
例えば、図６及び図７に示す別の梱包容器９４のように、支持部片５０等を変更して、支持部材９０と支持部材９２とが左右対称となるように構成しても良い。この梱包容器９４では、支持部材９０と支持部材９２とがそれぞれ側片１５、側片１４と底片３０に沿うような正面視形状に構成されている。前述したパチンコ遊技機のセンター飾り２の凹所Ａを備えないような被梱包物の場合には、このような梱包容器９４を用いても良い。また、図６及び図７に示す梱包容器９４とは逆に、支持部材９０と支持部材９２共に、側片１５，側片１４との間に間隙Ｚを設けるような正面視形状としても良い。このような梱包容器では左右両側に凹所を備えた被梱包物の梱包に好適である。
【産業上の利用可能性】
【００５８】
本考案はガラス板、回路基盤、自転車のホイール、電子機器のディスプレイパネル、パチンコ遊技機のセンター飾り、陶磁器製の皿類など多様な物品の梱包容器として広く用いることができ、特にパチンコ遊技機のセンター飾りの梱包容器として好適である。
【符号の説明】
【００５９】
１；梱包容器、２；パチンコ遊技機のセンター飾り、１０；正面片、１１ａ〜ｊ；折れ目線、１２ａ，ｂ；取っ手、１４；側片、１５；側片、１６；係合片、１７；舌状片、２０；背面片、２２；係合片、２３；舌状片、３０；底片、３２ａ，３２ｂ；切り込み、４０；支持部片、４２；本体部、５０；支持部片、６０ａ，６０ｂ；差し込み片、６２；舌状片、７０ａ〜ｄ；嵌合片、７２；第一片、７４；第二辺、７６；第三辺、７８；当接片、８０；第一片、８２；第二辺、８４；第三辺、８６；当接片、９０；支持部材、９２；支持部材、Ａ；凹所、Ｂ；突起状部位Ｂ、Ｘ；凹部、Ｙ；頂部、Ｚ；間隙。
【図１】
0003162704.tif 000003
【図２】
0003162704.tif 000004
【図３】
0003162704.tif 000005
【図４】
0003162704.tif 000006
【図５】
0003162704.tif 000007
【図６】
0003162704.tif 000008
【図７】
0003162704.tif 000009
【手続補正書】
【提出日】平成22年7月9日(2010.7.9)
【手続補正１】
【補正対象書類名】実用新案登録請求の範囲
【補正対象項目名】全文
【補正方法】変更
【補正の内容】
【実用新案登録請求の範囲】
【請求項１】
正面片１０と、背面片２０と、
前記正面片１０または前記背面片２０のいずれかの左右側部に設けられた二つの側片１４，１５と、前記正面片１０の基端部と前記背面片２０の基端部との間に連設される底片３０が備えられ、
前記正面片１０と前記背面片２０とが対向するように側片１４，１５を介して容器状に組み立て及び展開可能に設けられるとともに、前記底片３０に一対の切り込み３２ａ、３２ｂが設けられ、
前記底片３０の両側にそれぞれ設けられた一対の支持部片４０，５０が備えられ、
前記支持部片４０，５０は、平面視略矩形状に形成されるとともに、略矩形状の本体部４２，５２の二つがそれぞれ前記底片３０側に備えられ、
前記支持部片４０，５０の先端には前記底片３０の切り込み３２ａ，３２ｂに差し込み係合可能な差し込み片６０ａ，６０ｂが備えられ、
前記支持部片４０，５０と前記底片３０との間には折れ目線１１ｅ，１１ｈが形成され、
前記本体部４２，５２の中央付近には前記折れ目線１１ｅ，１１ｈと平行に折れ目線１１ｆ，１１ｉが形成され、
該二つの支持部片４０，５０は、正面視において、前記底片３０に沿って底辺を構成するとともに、二つの支持部片４０，５０の向き合う両辺が正面視において上方が幅広となるように傾斜面とされた三角形状に組み立て可能、かつ組み立てられた状態を保持可能に設けられたことを特徴とする段ボール製の梱包容器。
【請求項２】
前記支持部片４０，５０により組み立てられる二つの支持部材９０，９２のうちいずれかの頂部Ｙと、該頂部Ｙと隣り合う前記側片１４又は側片１５のいずれかとの間に間隙Ｚが設けられるように形成されたことを特徴とする請求項１に記載の梱包容器。
【請求項３】
前記支持部片４０，５０の前記本体部４２，５２の側部に、前記支持部片４０，５０を三角形状に組み立てた状態において、前記支持部片４０，５０の前記本体部４２，５２及び前記底片３０間に嵌合可能な嵌合片７０ａ〜７０ｄが連設されたことを特徴とする請求項１又は請求項２に記載の梱包容器。
【請求項４】
前記嵌合片７０ａ〜７０ｄの側部に、折れ目線１１ｇ，１１ｊを介して、前記底片３０に沿って当接可能な当接片７８，８６を連設したことを特徴とする請求項１から請求項３のいずれかに記載の梱包容器。
【請求項５】
前記正面片１０、背面片２０又は側片１４，１５に、前記正面片１０と前記背面片２０とを係合する係合片１６，２２が設けられたことを特徴とする請求項１から請求項４のいずれかに記載の梱包容器。
【請求項６】
組み立てた状態の前記正面片１０及び前記背面片２０の上部に、取っ手１２ａ，１２ｂを設けたことを特徴とする請求項１から請求項５のいずれかに記載の梱包容器。
【請求項７】
前記梱包容器は紙製段ボールから構成されたことを特徴とする請求項１から請求項６のいずれかに記載の梱包容器。
【手続補正２】
【補正対象書類名】明細書
【補正対象項目名】００１５
【補正方法】変更
【補正の内容】
【００１５】
また、本考案の第二の手段は、前記支持部片４０，５０により組み立てられる二つの支持部材９０，９２のうちいずれかの頂部Ｙと、該頂部Ｙと隣り合う前記側片１４又は側片１５のいずれかとの間に間隙Ｚが設けられるように形成されたことを特徴とする梱包容器である（請求項２）。
【手続補正３】
【補正対象書類名】明細書
【補正対象項目名】００１９
【補正方法】変更
【補正の内容】
【００１９】
また、本考案の第四の手段は、前記嵌合片７０ａ〜７０ｄの側部に、折れ目線１１ｇ，１１ｊを介して、前記底片３０に沿って当接可能な当接片７８，８６を連設したことを特徴とする梱包容器である（請求項４）。
【手続補正４】
【補正対象書類名】明細書
【補正対象項目名】００２５
【補正方法】変更
【補正の内容】
【００２５】
また、本考案の第七の手段は、前記梱包容器は紙製段ボールから構成されたことを特徴とする梱包容器である（請求項７）。